(57)【要約】      （修正有）【課題】暖房運転時に使用者に与える冷風感を低減できる空気調和機を提供する。【解決手段】ＣＰＵは、凝縮温度Ｔｃから室温Ｔｉを減じて温度差ΔＴを算出し、算出した温度差ΔＴが閾温度差Ｔｔｈより小さいか否かを判断する。温度差ΔＴが閾温度差Ｔｔｈより小さい場合は、ＣＰＵは、圧縮機の回転数を現在の回転数より高い回転数として、吐出圧力Ｐｈつまりは凝縮温度Ｔｃを上昇させることで、温度差ΔＴが閾温度差Ｔｔｈ以上となるようにする。一方、温度差ΔＴが閾温度差Ｔｔｈ以上である場合は、ＣＰＵは、要求能力Ａｒに応じた圧縮機の回転数とする。【選択図】図２
2018048752.tif 000002
【特許請求の範囲】
【請求項１】
圧縮機を有する室外機と、
室内熱交換器と、室内ファンと、室温を検出する室温検出手段を有する室内機と、
前記室内熱交換器が凝縮器として機能するときに同室内熱交換器における凝縮温度を検出する凝縮温度検出手段と、
前記凝縮温度検出手段で検出した凝縮温度と前記室温検出手段で検出した室温を取り込み、前記圧縮機の駆動を制御する制御手段と、
を有する空気調和機であって、
前記制御手段は、暖房運転を行っているとき、
前記凝縮温度検出手段で検出した前記凝縮温度を取り込むとともに前記室温検出手段で検出した前記室温を取り込み、取り込んだ前記凝縮温度と前記室温の温度差を求め、
前記温度差が所定の閾温度差より小さい場合は、前記圧縮機の回転数を上昇させて前記温度差が前記閾温度差以上となる温度まで前記凝縮温度を上昇させる、
ことを特徴とする空気調和機。
【請求項２】
前記室内機から吹き出される風量に応じて前記閾温度差を所定の範囲で増減する、
ことを特徴とする請求項１に記載の空気調和機。
【発明の詳細な説明】
【技術分野】
【０００１】
本発明は空気調和機に関わり、より詳細には、暖房運転時の快適性を向上できる空気調和機に関する。
【背景技術】
【０００２】
空気調和機で暖房運転を行うとき、暖房運転開始直後は凝縮器として機能する室内熱交換器の温度が低い。この状態で室内ファンの回転数を高くして風量を多くすれば、室内熱交換器の温度上昇に時間がかかって暖房運転の立ち上がり時間が長くなるとともに、室内機から冷たい風が吹き出されて使用者が冷風感を感じる。
【０００３】
上記のような問題点を解決するために、例えば特許文献１には、暖房運転開始時は室内ファンを駆動せずに室内熱交換器を暖め、その後低回転数で室内ファンを駆動して吹出温度を検出し、検出した吹出温度が所定温度に到達すれば室内ファンの回転数を任意の設定回転数（例えば、使用者が設定した風量に応じた回転数）で駆動できるようにする空気調和機が提案されている。
【０００４】
特許文献１に記載の空気調和機では、上述したように暖房運転を開始してから吹出温度が所定温度に到達するまでは室内ファンの回転数を低く抑えるあるいは室内ファンを駆動しない。従って、暖房運転を開始してから室内熱交換器が早く暖まる。また、暖房運転を開始したときに室内機から冷たい風が吹き出されることを防ぐことができるため、使用者に冷風感を与えない。
【先行技術文献】
【特許文献】
【０００５】
【特許文献１】特開昭６０−１２０１３５号公報
【発明の概要】
【発明が解決しようとする課題】
【０００６】
一般的に、空気調和機が暖房運転を行うときは、使用者が要求する設定温度と室温の温度差に応じて圧縮機の回転数が設定される。具体的には、設定温度と室温の温度差が大きい程、室温を設定温度に到達させるために室内機で必要となる能力も大きくなるので、圧縮機の回転数は高くされる。これによれば、暖房運転の開始時は設定温度と室温の温度差が大きいため、圧縮機の回転数が高くなる。一方、暖房運転を開始してから時間が経過し設定温度と室温の温度差が小さくなるのに従って必要な能力も徐々に小さくなるので、これに伴って圧縮機の回転数も徐々に低下する。そして、上述した能力が高い程、つまり、圧縮機の回転数が高い程、室内熱交換器における凝縮温度が高くなって室内機の吹出温度は高くなる。
【０００７】
近年、室内機で室内温度が細かく検出できる（例えば、０．２５℃刻みで検出できる）空気調和機が提案されている。このような空気調和機では、設定温度と室温の温度差も細かく算出できるので、設定温度と室温の温度差に応じた必要能力も微調整ができるようになっている。これにより、室温が設定温度に近づいているときに必要以上の能力が室内機で発揮され、室温が設定温度以上となって室内機が停止する所謂サーモオフとなることを防ぎながら、室温を設定温度に到達させることができる。しかし、室温と設定温度の温度差が小さくなるのにつれて室内機で必要とされる能力も小さくなって室内熱交換器における凝縮温度も低下するので、吹出温度が低下して使用者が冷風感を感じる恐れがあった。
【０００８】
本発明は以上述べた問題点を解決するものであって、暖房運転時に使用者に与える冷風感を低減できる空気調和機を提供することを目的とする。
【課題を解決するための手段】
【０００９】
上記の課題を解決するために、本発明の空気調和機は、圧縮機を有する室外機と、室内熱交換器と室内ファンと室温を検出する室温検出手段を有する室内機と、室内熱交換器が凝縮器として機能するときに室内熱交換器における凝縮温度を検出する凝縮温度検出手段と、凝縮温度検出手段で検出した凝縮温度と室温検出手段で検出した室温を取り込み圧縮機の駆動を制御する制御手段を有する。制御手段は、暖房運転を行っているとき、凝縮温度検出手段で検出した凝縮温度を取り込むとともに室温検出手段で検出した室温を取り込み、取り込んだ凝縮温度と室温の温度差を求める。そして、制御手段は、求めた温度差が所定の閾温度差より小さい場合は、圧縮機の回転数を上昇させて温度差が閾温度差以上となる温度まで凝縮温度を上昇させる。
【発明の効果】
【００１０】
上記のように構成した本発明の空気調和機によれば、凝縮温度と室温の温度差が所定の閾温度差以上となるように圧縮機の回転数を上昇させて凝縮温度を上昇させることで吹出温度の低下を抑制できる。これにより、暖房運転時に使用者に与える冷風感を低減できる。
【図面の簡単な説明】
【００１１】
【図１】本発明の実施形態における、空気調和機の説明図であり、（Ａ）は冷媒回路図、（Ｂ）は室外機制御手段のブロック図である。
【図２】本発明の実施形態における、室外機制御手段での処理の流れを示すフローチャートである。
【発明を実施するための形態】
【００１２】
以下、本発明の実施の形態を、添付図面に基づいて詳細に説明する。実施形態としては、１台の室外機と１台の室内機が２本の冷媒配管で接続された空気調和機を例に挙げて説明する。尚、本発明は以下の実施形態に限定されることはなく、本発明の主旨を逸脱しない範囲で種々変形することが可能である。
【実施例】
【００１３】
図１（Ａ）に示すように、本実施例における空気調和機１は、屋外に設置される室外機２と、室内に設置され室外機２に液管４およびガス管５で接続された室内機３を備えている。詳細には、液管４は、一端が室外機２の閉鎖弁２５に、他端が室内機３の液管接続部３３に接続されている。また、ガス管５は、一端が室外機２の閉鎖弁２６に、他端が室内機３のガス管接続部３４に接続されている。以上により、空気調和機１の冷媒回路１０が構成されている。
【００１４】
まずは、室外機２について説明する。室外機２は、圧縮機２１と、四方弁２２と、室外熱交換器２３と、室外ファン２４と、液管４の一端が接続された閉鎖弁２５と、ガス管５の一端が接続された閉鎖弁２６と、膨張弁２７を備えている。そして、室外ファン２４を除くこれら各装置が以下で詳述する各冷媒配管で相互に接続されて、冷媒回路１０の一部をなす室外機冷媒回路１０ａを構成している。
【００１５】
圧縮機２１は、図示しないインバータにより回転数が制御されることで、運転容量を変えることができる容量可変型圧縮機である。圧縮機２１の冷媒吐出側は、四方弁２２のポートａに吐出管６１で接続されている。また、圧縮機２１の冷媒吸入側は、四方弁２２のポートｃに吸入管６６で接続されている。
【００１６】
四方弁２２は、冷媒の流れる方向を切り換えるための弁であり、ａ、ｂ、ｃ、ｄの４つのポートを備えている。ポートａは、上述したように圧縮機２１の冷媒吐出側と吐出管６１で接続されている。ポートｂは、室外熱交換器２３の一方の冷媒出入口と冷媒配管６２で接続されている。ポートｃは、上述したように圧縮機２１の冷媒吸入側と吸入管６６で接続されている。そして、ポートｄは、閉鎖弁２６と室外機ガス管６４で接続されている。
【００１７】
室外熱交換器２３は、冷媒と、後述する室外ファン２４の回転により室外機２の内部に取り込まれた外気を熱交換させるものである。室外熱交換器２３の一方の冷媒出入口は、上述したように四方弁２２のポートｂと冷媒配管６２で接続され、他方の冷媒出入口は閉鎖弁２５と室外機液管６３で接続されている。
【００１８】
膨張弁２７は、例えば電子膨張弁である。膨張弁２７は、その開度が調整されることで、室外熱交換器２３に流入する冷媒量、あるいは、室外熱交換器２３から流出する冷媒量を調節する。
【００１９】
室外ファン２４は樹脂材で形成されており、室外熱交換器２３の近傍に配置されている。室外ファン２４は、図示しないファンモータによって回転することで室外機２の図示しない吸込口から室外機２の内部へ外気を取り込み、室外熱交換器２３において冷媒と熱交換した外気を室外機２の図示しない吹出口から室外機２外部へ放出する。
【００２０】
以上説明した構成の他に、室外機２には各種のセンサが設けられている。図１（Ａ）に示すように、吐出管６１には、圧縮機２１から吐出される冷媒の圧力を検出する凝縮温度検出手段である吐出圧力センサ７１と、圧縮機２１から吐出される冷媒の温度を検出する吐出温度センサ７３が設けられている。吸入管６６には、圧縮機２１に吸入される冷媒の圧力を検出する吸入圧力センサ７２と、圧縮機２１に吸入される冷媒の温度を検出する吸入温度センサ７４とが設けられている。
【００２１】
室外機液管６３における室外熱交換器２３と膨張弁２７の間には、室外熱交換器２３から流出、または、室外熱交換器２３に流入する冷媒の温度を検出するための熱交温度センサ７５が設けられている。そして、室外機２の図示しない吸込口付近には、室外機２の内部に流入する外気の温度、すなわち外気温度を検出する外気温度センサ７６が備えられている。
【００２２】
また、室外機２には、室外機制御手段２００が備えられている。室外機制御手段２００は、室外機２の図示しない電装品箱に格納されている制御基板に搭載されている。図１（Ｂ）に示すように、室外機制御手段２００は、ＣＰＵ２１０と、記憶部２２０と、通信部２３０と、センサ入力部２４０を備えている。
【００２３】
記憶部２２０は、ＲＯＭやＲＡＭで構成されており、室外機２の制御プログラムや各種センサからの検出信号に対応した検出値、圧縮機２１や室外ファン２４の制御状態等を記憶している。また、図示は省略するが、記憶部２２０には後述する室内機３から受信する要求能力に応じて圧縮機２１の回転数を定めた回転数テーブルが予め記憶されている。通信部２３０は、室内機３との通信を行うインターフェイスである。センサ入力部２４０は、室外機２の各種センサでの検出結果を取り込んでＣＰＵ２１０に出力する。
【００２４】
ＣＰＵ２１０は、前述した室外機２の各センサでの検出結果をセンサ入力部２４０を介して取り込む。また、ＣＰＵ２１０は、室内機３から送信される制御信号を通信部２３０を介して取り込む。ＣＰＵ２１０は、取り込んだ検出結果や制御信号に基づいて、圧縮機２１や室外ファン２４の駆動制御を行う。また、ＣＰＵ２１０は、取り込んだ検出結果や制御信号に基づいて、四方弁２２の切り換え制御を行う。さらには、ＣＰＵ２１０は、取り込んだ検出結果や制御信号に基づいて、室外膨張弁２７の開度調整を行う。
【００２５】
次に、図１（Ａ）を用いて、室内機３について説明する。室内機３は、室内熱交換器３１と、室内ファン３２と、液管４の他端が接続された液管接続部３３と、ガス管５の他端が接続されたガス管接続部３４を備えている。そして、室内ファン３２を除くこれら各装置が以下で詳述する各冷媒配管で相互に接続されて、冷媒回路１０の一部をなす室内機冷媒回路１０ｂを構成している。
【００２６】
室内熱交換器３１は、冷媒と後述する室内ファン３２の回転により室内機３の図示しない吸込口から室内機３の内部に取り込まれた室内空気を熱交換させるものであり、一方の冷媒出入口が液管接続部３３に室内機液管６７で接続され、他方の冷媒出入口がガス管接続部３４に室内機ガス管６８で接続されている。室内熱交換器３１は、室内機３が冷房運転を行う場合は蒸発器として機能し、室内機３が暖房運転を行う場合は凝縮器として機能する。
尚、液管接続部３３やガス管接続部３４では、各冷媒配管が溶接やフレアナット等により接続されている。
【００２７】
室内ファン３２は樹脂材で形成されており、室内熱交換器３１の近傍に配置されている。室内ファン３１は、図示しないファンモータによって回転することで、室内機３の図示しない吸込口から室内機３の内部に室内空気を取り込み、室内熱交換器３１において冷媒と熱交換した室内空気を室内機３の図示しない吹出口から室内へ吹き出す。
【００２８】
以上説明した構成の他に、室内機３には各種のセンサが設けられている。室内機液管６７には、室内熱交換器３１に流入あるいは室内熱交換器３１から流出する冷媒の温度を検出する液側温度センサ７７が設けられている。室内機ガス管６８には、室内熱交換器３１から流出あるいは室内熱交換器３１に流入する冷媒の温度を検出するガス側温度センサ７８が設けられている。そして、室内機３の図示しない吸込口付近には、室内機３の内部に流入する室内空気の温度、すなわち室温を検出する室温検出手段である室温センサ７９が備えられている。
【００２９】
また、図示と詳細な説明は省略するが、室内機３には室内機制御手段が備えられている。室内機制御手段は、ＣＰＵと記憶部と通信部とセンサ入力部を備えている。記憶部は、ＲＯＭやＲＡＭで構成されており、室内機３の制御プログラムや各種センサからの検出信号に対応した検出値、室内ファン３２の制御状態等を記憶している。通信部は、室外機２の室外機制御手段２００との通信を行うためのインターフェイスである。センサ入力部は、室内機３の各種センサでの検出結果を取り込んでＣＰＵに出力する。ＣＰＵは、前述した室内機３の各センサでの検出結果をセンサ入力部を介して取り込む。また、ＣＰＵは、室外機２から送信される制御に関わる信号を通信部を介して取り込む。また、ＣＰＵは、取り込んだ検出結果や制御信号に基づいて、室内ファン３２の駆動制御を行う。
【００３０】
さらには、ＣＰＵは、使用者が図示しないリモコンを操作して設定した設定温度と、室温センサ７９で検出した室温との温度差を算出し、算出した温度差に基づいた要求能力を通信部を介して室外機２の室外機制御手段２００に送信する。
【００３１】
次に、本実施形態における空気調和機１の空調運転時の冷媒回路１０における冷媒の流れや各部の動作について、図１（Ａ）を用いて説明する。尚、以下の説明では、室内機３が暖房運転を行う場合について説明し、冷房／除湿運転を行う場合については詳細な説明を省略する。また、図１（Ａ）における矢印は暖房運転時の冷媒の流れを示している。
【００３２】
室内機３が暖房運転を行う場合、ＣＰＵ２１０は、図１（Ａ）に示すように四方弁２２を実線で示す状態、すなわち、四方弁２２のポートａとポートｄとが連通するよう、また、ポートｂとポートｃとが連通するよう、切り換える。これにより、冷媒回路１０において実線矢印で示す方向に冷媒が循環し、室外熱交換器２３が蒸発器として機能するとともに室内熱交換器３１が凝縮器として機能する暖房サイクルとなる。
【００３３】
圧縮機２１から吐出された高圧の冷媒は、吐出管６１を流れて四方弁２２に流入し、四方弁２２から室外機ガス管６４を流れ閉鎖弁２６を介してガス管５に流入する。ガス管５を流れる冷媒は、ガス管接続部３４を介して室内機３に流入する。
【００３４】
室内機３に流入した冷媒は、室内機ガス管６８を流れて室内熱交換器３１に流入し、室内ファン３２の回転により室内機３の内部に取り込まれた室内空気と熱交換を行って凝縮する。このように、室内熱交換器３１が凝縮器として機能し、室内熱交換器３１で冷媒と熱交換を行った室内空気が図示しない吹出口から室内に吹き出されることによって、室内機３が設置された室内の暖房が行われる。
【００３５】
室内熱交換器３１から流出した冷媒は室内機液管６７を流れ、液管接続部３３を介して液管４に流入する。液管４を流れ閉鎖弁２５を介して室外機２に流入した冷媒は、室外機液管６３を流れて膨張弁２７を通過する際に減圧される。
【００３６】
膨張弁２７を通過して室外熱交換器２３に流入した冷媒は、室外ファン２４の回転により室外機２の内部に取り込まれた外気と熱交換を行って蒸発する。室外熱交換器２３から冷媒配管６２に流出した冷媒は、四方弁２２、吸入管６６を流れ、圧縮機２１に吸入されて再び圧縮される。
【００３７】
尚、室内機３が冷房運転を行う場合、ＣＰＵ２１０は、図１（Ａ）に示すように四方弁２２を破線で示す状態、すなわち、四方弁２２のポートａとポートｂとが連通するよう、また、ポートｃとポートｄとが連通するよう、切り換える。これにより、冷媒回路１０が、室外熱交換器２３が凝縮器として機能するとともに室内熱交換器３１が蒸発器として機能する冷房サイクルとなる。
【００３８】
次に、図２を用いて、空気調和機１が暖房運転を行っているときの圧縮機２１の回転数制御に関わる処理について説明する。図２は、空気調和機１が暖房運転を行う際の室外機制御手段２００のＣＰＵ２１０が行う処理の流れを示すものである。図２において、ＳＴは処理のステップを表し、これに続く数字はステップ番号を表している。尚、図２では、本発明に関わる処理を中心に説明しており、これ以外の処理、例えば、主に室外機２が行う冷媒回路１０の圧力や温度に関わる制御といった空気調和機１の一般的な制御に関わる処理については説明を省略する。
【００３９】
また、以下の説明では、吐出圧力センサ７１で検出した吐出圧力をＰｈ、吐出圧力Ｐｈを用いて求める高圧飽和温度つまりは暖房運転時に凝縮器として機能する室内熱交換器３１における凝縮温度をＴｃ、室温センサ７９で検出した室内機３が設置された部屋の室温をＴｉ、凝縮温度Ｔｃから室温Ｔｉを減じた温度差をΔＴ、温度差ΔＴの閾値である閾温度差をＴｔｈ、室内機２が室外機３に要求する能力である要求能力をＡｒとする。
【００４０】
ここで、閾温度差Ｔｔｈは予め試験等を行って求められて記憶部２２０に記憶されているものであり、例えば、１０℃である。この閾温度差Ｔｔｈは、室内機２で必要とされる能力が小さくなって圧縮機２１の回転数が低下し、これに伴って凝縮温度Ｔｃが低下して温度差ΔＴが閾温度差Ｔｔｈより小さくなったときに、このときの凝縮温度Ｔｃに応じた吹出温度では使用者が室内機２から吹き出される空気により冷風感を感じることが判明している値である。尚、閾温度差Ｔｔｈは、使用者が自分の好みに応じて所定の範囲、例えば±１℃の範囲で変更できるようにしてもよい。また、同じ吹出温度であっても室内機３から吹き出される風量によって使用者が感じる冷風感は異なるため、風量に応じて閾温度差Ｔｔｈを異ならせる、例えば、風量：強のときは閾温度差Ｔｔｈを１１℃、風量：中のときは閾温度差Ｔｔｈを１０℃、風量：弱のときは閾温度差Ｔｔｈを９℃というようにしてもよい。
【００４１】
また、要求能力Ａｒは、設定温度と室温Ｔｉの温度差に基づいて決定されるものである。具体的には、室内機３の記憶部に、設定温度と室温Ｔｉの温度差に応じて要求能力Ａｒを定めたテーブルが予め記憶されており、室内機３の制御手段はこのテーブルを参照し、求めた温度差に応じた要求能力Ａｒを抽出する。尚、設定温度と室温Ｔｉの温度差が大きい程要求能力Ａｒは大きくなる。
【００４２】
使用者による空調運転開始指示があれば、ＣＰＵ２１０は、使用者の運転指示が暖房運転指示であるか否かを判断する（ＳＴ１）。暖房運転指示でなければ（ＳＴ１−Ｎｏ）、ＣＰＵ２１０は、冷房運転もしくは除湿運転の開始処理である冷房／除湿運転開始処理を実行する（ＳＴ１３）。ここで、冷房／除湿運転開始処理とは、ＣＰＵ２１０が四方弁２２を操作して冷媒回路１００を冷房サイクルとすることであり、最初に冷房運転もしくは除湿運転を行うときに行われる処理である。
【００４３】
そして、ＣＰＵ２１０は、圧縮機２１や室外ファン２４を所定の回転数で起動するとともに、通信部２３０を介して室内機３に対し室内ファン３２の駆動制御を行うよう指示して冷房運転あるいは除湿運転の制御を開始し（ＳＴ１４）、ＳＴ１０に処理を進める。
【００４４】
ＳＴ１において、暖房運転指示であれば（ＳＴ１−Ｙｅｓ）、ＣＰＵ２１０は、暖房運転開始処理を実行する（ＳＴ２）。ここで、暖房運転開始処理とは、ＣＰＵ２１０が四方弁２２を操作して冷媒回路１００を図１（Ａ）に示す状態、つまり、冷媒回路１００を暖房サイクルとすることであり、最初に暖房運転を行うときに行われる処理である。
【００４５】
次に、ＣＰＵ２１０は、暖房運転制御を開始する（ＳＴ３）。暖房運転制御の開始では、ＣＰＵ２１０は、室内機３からの要求能力Ａｒに応じた回転数で圧縮機２１を起動するとともに、室外ファン２４を予め定められた所定の回転数で起動する。また、ＣＰＵ２１０は、吐出温度センサ７３で検出した圧縮機２１の吐出温度をセンサ入力部２４０を介して取り込み、取り込んだ吐出温度に応じて膨張弁２７の開度を調整する。さらには、ＣＰＵ２１０は、室内機３に対し通信部２３０を介して暖房運転を開始する旨の運転開始信号を送信する。運転開始信号を通信部を介して受信した室内機３の室内機制御手段のＣＰＵは、使用者の風量指示に応じた回転数で室内ファン３２を起動する。
【００４６】
次に、ＣＰＵ２１０は、吐出圧力センサ７１で検出した吐出圧力Ｐｈをセンサ入力部２４０を介して取り込むとともに、室内機３から室温Ｔｉを通信部２３０を介して取り込む（ＳＴ４）。尚、室温Ｔｉは、室内機３のＣＰＵが室温センサ７９での検出値をセンサ入力部を介して取り込み、通信部を介して室外機２に送信しているものである。また、上述した各検出値は、所定時間毎（例えば、３０秒毎）にＣＰＵ２１０が取り込んで記憶部２２０に記憶している。
【００４７】
次に、ＣＰＵ２１０は、ＳＴ４で取り込んだ吐出圧力Ｐｈを用いて凝縮温度Ｔｃを求める（ＳＴ５）。また、ＣＰＵ２１０は、室内機３が送信する要求能力Ａｒを通信部２３０を介して取り込む（ＳＴ６）。要求能力Ａｒは、室内機３において設定温度と室温Ｔｉの温度差が変わる度に室内機３から送信され、ＣＰＵ２１０は取り込んだ最新の要求能力Ａｒを記憶部２２０に上書き保存する。
【００４８】
次に、ＣＰＵ２１０は、ＳＴ５で求めた凝縮温度ＴｃからＳＴ４で取り込んだ室温Ｔｉを減じて温度差ΔＴを算出し、算出した温度差ΔＴが閾温度差Ｔｔｈより小さいか否かを判断する（ＳＴ７）。
【００４９】
温度差ΔＴが閾温度差Ｔｔｈより小さい場合は（ＳＴ７−Ｙｅｓ）、ＣＰＵ２１０は、圧縮機２１の回転数を温度差ΔＴが閾温度差Ｔｔｈ以上となる回転数として（ＳＴ８）、ＳＴ１０に処理を進める。前述したように、温度差ΔＴが閾温度差Ｔｔｈより小さい場合は、室内機３の吹出温度が低く使用者が冷風感を感じる恐れがある。そこで、ＣＰＵ２１０は、圧縮機２１の回転数を現在の回転数より高い回転数として、吐出圧力Ｐｈつまりは凝縮温度Ｔｃを上昇させることで、温度差ΔＴが閾温度差Ｔｔｈ以上となるようにする。
【００５０】
一方、ＳＴ７において温度差ΔＴが閾温度差Ｔｔｈ以上である場合は（ＳＴ７−Ｎｏ）、ＣＰＵ２１０は、ＳＴ７で取り込んだ要求能力Ａｒに応じた圧縮機２１の回転数として（ＳＴ９）、ＳＴ１０に処理を進める。前述したように、記憶部２２０には室内機３の要求能力Ａｒに応じて圧縮機２１の回転数を定めた回転数テーブルが予め記憶されている。ＣＰＵ２１０は、この回転数テーブルを参照し取り込んだ要求能力Ａｒに対応する回転数を抽出し、抽出した回転数となるように圧縮機２１を制御する。
【００５１】
ＳＴ８もしくはＳＴ９の処理を終えたＣＰＵ２１０は、使用者による運転モード切替指示があるか否かを判断する（ＳＴ１０）。ここで、運転モード切替指示とは、現在の運転（ここでは暖房運転）から別の運転（冷房運転あるいは除湿運転）への切替を指示するものである。運転モード切替指示がある場合は（ＳＴ１０−Ｙｅｓ）、ＣＰＵ２１０は、ＳＴ１に処理を戻す。運転モード切替指示がない場合は（ＳＴ１０−Ｎｏ）、ＣＰＵ２１０は、使用者による運転停止指示があるか否かを判断する（ＳＴ１１）。ここで運転停止指示とは、室内機３が運転を停止することを指示すものである。
【００５２】
運転停止指示があれば（ＳＴ１１−Ｙｅｓ）、ＣＰＵ２１０は、運転停止処理を実行し（ＳＴ１２）、処理を終了する。運転停止処理では、ＣＰＵ２１０は、圧縮機２１や室外ファン２４を停止するとともに膨張弁２７を全閉とする。また、ＣＰＵ２１０は、室内機３に対し通信部２３０を介して運転を停止する旨の運転停止信号を送信する。運転停止信号を通信部を介して受信した室内機３のＣＰＵは、室内ファン３２を停止する。
【００５３】
ＳＴ１１において運転停止指示がなければ（ＳＴ１１−Ｎｏ）、ＣＰＵ２１０は、現在の運転が暖房運転であるか否かを判断する（ＳＴ１５）。現在の運転が暖房運転であれば（ＳＴ１５−Ｙｅｓ）、ＣＰＵ２１０は、ＳＴ４に処理を戻す。現在の運転が暖房運転でなければ（ＳＴ１５−Ｎｏ）、つまり、現在の運転が冷房運転もしくは除湿運転であれば、ＣＰＵ２１０は、ＳＴ１４に処理を戻す。
【００５４】
以上説明したように、本発明の空気調和機１では、暖房運転を行っているときに凝縮温度Ｔｃから室温Ｔｉを減じた温度差ΔＴが閾温度差Ｔｔｈより小さい場合は、温度差ΔＴが閾温度差Ｔｔｈ以上となるように凝縮温度Ｔｃを上げるために圧縮機２１の回転数を制御する。これにより、室温Ｔｉが設定温度に近づいて室内機３からの要求能力Ａｒが小さくなりこれに伴って圧縮機２１の回転数を低下させる場合であっても、圧縮機２１の回転数を温度差ΔＴが閾温度差Ｔｔｈより小さくなる凝縮温度Ｔｃに対応する回転数より低下させないので、室内機３からの吹出温度が、使用者が冷風感を感じる温度より低くなることを防ぐことができる。従って、使用者に暖房運転時に与える冷風感を低減できる。
【００５５】
尚、以上説明した実施形態では、凝縮温度検出手段が吐出圧力センサ７１であり、吐出圧力センサ７１で検出した吐出圧力Ｐｄを用いて室内熱交換器３１における凝縮温度を求める場合を説明した。しかし、これに限るものではなく、凝縮温度検出手段が室内熱交換器３１のパスの中間部に配置される冷媒温度センサであり、この冷媒温度センサで直接凝縮温度を検出してもよい。
【符号の説明】
【００５６】
１  空気調和機
２  室外機
３  室内機
１０  冷媒回路
２１  圧縮機
２２  四方弁
２３  室外熱交換器
３１  室内熱交換器
７１  吐出圧力センサ
７９  室温センサ
２００  室外機制御手段
２１０  ＣＰＵ
２２０  記憶部
Ａｒ  要求能力
Ｐｈ  吐出圧力
Ｔｃ  凝縮温度
Ｔｉ  室温
ΔＴ  温度差
Ｔｔｈ  閾温度差
【図１】
2018048752.tif 000003
【図２】
2018048752.tif 000004